(57)【要約】【課題】用紙の取り出し性に影響を与えることなく、用紙の状態に関係なく、満杯状態の誤検知を防止し、安定して多数の用紙をスタックする。【解決手段】排紙装置７０は、排出する用紙を帯電させるローラ帯電ユニット８０を排紙ローラ７２、７３に配置し、排紙トレイ７１には、シート状の吸着部材７５を配置する。吸着部材７５には、用紙を吸引するように吸着部材７５を帯電させる帯電ユニット７６を配置する。吸着部材７５は着脱自在に排紙トレイ７１に配置される。【選択図】図３
2012140223.tif 000002
【特許請求の範囲】
【請求項１】
排出された用紙が配置される排紙トレイと、この排紙トレイに用紙を排出する用紙排出装置とを備えた排紙装置において、
排紙される用紙を帯電させる帯電装置を備え、
前記排紙トレイ上に帯電した前記用紙を吸着する吸着部材を配置したことを特徴とする排紙装置。
【請求項２】
請求項１記載の排紙装置において、
前記吸着部材は前記排紙トレイに配置されたシート状の部材であることを特徴とする排紙装置。
【請求項３】
請求項１または請求項２に記載の排紙装置において、
前記吸着部材は、前記排紙トレイ上に着脱自在に設けたことを特徴とする排紙装置。
【請求項４】
請求項１から請求項３のいずれかに記載の排紙装置において、
設定枚数が排出されたとき、あるいはトレイ上に積載された用紙が満杯となったとき前記用紙を除電する機能を備えたことを特徴とする排紙装置。
【請求項５】
請求項１ないし４記載の用紙吸着装置であって、前記帯電装置は前記排紙トレイ上に排紙される直前部に配置されていることを特徴とする排紙装置。
【請求項６】
排出すべき用紙を折り畳む用紙折り機構と、請求項１ないし５のいずれか１項に記載の排紙装置と、を備えることを特徴とする用紙折り装置。
【請求項７】
排出すべき用紙に画像形成を行う画像形成手段と、請求項６記載の用紙折り装置とを備えていることを特徴とする画像形成装置。
【発明の詳細な説明】
【技術分野】
【０００１】
本発明は、排紙装置、用紙折り装置、及び画像形成装置に係り、特に排出された用紙が配置される排紙トレイと、この排紙トレイに用紙を排出する用紙排出装置と、を備えた排紙装置、この排紙装置を備えた用紙折り装置、及びこの用紙折り装置を備えた画像形成装置に関する。
【背景技術】
【０００２】
画像形成装置では、排紙装置を備えており、印刷や印刷後に折り処理をした用紙を排紙トレイ上に用紙をスタックしていく。このような排紙装置として、スタックした用紙を排紙トレイ上に効率よく配置するため、排紙トレイ上で用紙を押さえつける機構を備えるものがある。
【０００３】
特許文献１には、メカニカル機構によって、用紙を押さえる排紙装置が記載されている。すなわち特許文献１に記載の排紙装置は、画像形成装置によって印刷された用紙を積載する排出トレイに排出する用紙排出口の上部に揺動可能に一端が配設され該用紙排出口より排出された用紙の先端に当接してガイドする第１の揺動部材と、該第１の揺動部材の他端に揺動可能に一端が配設され前記排出トレイ上に積載された用紙を押しつける第２の揺動部材とを備えている。
【発明の概要】
【発明が解決しようとする課題】
【０００４】
しかし、上述した特許文献１に記載の排紙装置にあっては、用紙によっては、揺動部材が抵抗となって、用紙が正常に排出トレイ上に排出されずにジャムとなったり、あるいは、ジャムに至らないまでも用紙にダメージを与えてしまったりすることがある。特にコシの無い用紙、薄紙などはジャムやダメージが発生しやすい。
【０００５】
また、前記排紙装置は、第１の揺動部材と第２の二つの揺動部材とを備えるので、摺動性が悪く、二つの揺動部材を用紙の待機状態である初期の形態や位置に戻すことがむずかしい。そのため以下の問題が発生することがある。図６は従来の排紙装置の揺動部材の挙動を示す模式図である。この排紙装置２００には排紙トレイ２１０上に第１の揺動部材２２１と、第２の揺動部材２２２とをヒンジ部２２３で接続して構成した用紙押さえ部材２２０が配置されている。
【０００６】
上述した問題のうち第一の問題は、排出される用紙の状態用紙の厚さ、排出スピード、用紙束、その他によっては、図６（ａ）に示すように、第１の揺動部材２２１と第２の揺動部材２２２とが一直線状に伸びきった状態になってしまうことである。用紙押さえ部材２２０がこのような状態になると、排紙トレイ２１０上の用紙を押さえることができなくなる。
【０００７】
第二の問題は、第１の揺動部材２２１と第２の揺動部材２２２とがヒンジ部２２３で折れ曲がり、図６ｂに示すように、逆「くの字」状になってしまうことである。用紙押さえ部材２２０がこのような状態になると排紙トレイ２１０上の用紙を押さえることができなくなる。
【０００８】
さらに、従来の排紙装置では、ユーザーが用紙を取り出す際に用紙を押さえ揺動部材を破損させてしまうなどの問題がある。
【０００９】
また、画像形成装置では、排紙装置の前段に印刷を行った大きなサイズの用紙を製本するため用紙の折り処理を行う用紙折り装置を備えたものがある。このような画像形成装置３００では、用紙３２０は折り畳まれた状態で用紙排出装置３１０から排紙トレイ３３０上に排出される（図７（ａ）参照）。なお、図中符号３４１、３４２は用紙の満杯状態を光学的に検出する満杯センサーを示している。
【００１０】
このように用紙３２０が折られて排出されるに際して、用紙３２０が厚紙などであると折りが甘くなることがある。この場合、排紙される用紙３２０は折り目から開き気味に排出されて排紙トレイ３３０に配置されると、図６（ｂ）に示すように、用紙３２０の折り部３２１が開いて、用紙３２０が満杯センサー３４１、３４２で検出されてしまい、排紙トレイ３３０上の用紙の枚数が少なくても満杯状態と誤検知されてしまう。
【００１１】
そこで、本発明は、用紙の取り出し性に影響を与えることなく、用紙の状態（用紙が単葉、重ね状態、折り種類、カール有り無し、紙厚であること）に関係なく、満杯状態の誤検知を防止し、安定して多数の用紙をスタックすることができる排紙装置、用紙折り装置、及び画像形成装置を提供することを目的とする。
【課題を解決するための手段】
【００１２】
上述した課題を解決する請求項１の発明は、排出された用紙が配置される排紙トレイと、この排紙トレイに用紙を排出する用紙排出装置とを備えた排紙装置において、排紙される用紙を帯電させる帯電装置を備え、前記排紙トレイ上に帯電した前記用紙を吸着する吸着部材を配置したことを特徴とする排紙装置である。
【００１３】
同じく請求項２の発明は、請求項１記載の排紙装置において、前記吸着部材は前記排紙トレイに配置されたシート状の部材であることを特徴とする。
【００１４】
同じく請求項３の発明は、請求項１または請求項２に記載の排紙装置において、前記吸着部材は、前記排紙トレイ上に着脱自在に設けたことを特徴とする。
【００１５】
同じく請求項４の発明は、請求項１から請求項３のいずれかに記載の排紙装置において、設定枚数が排出されたとき、あるいはトレイ上に積載された用紙が満杯となったとき前記用紙を除電する機能を備えたことを特徴とする。
【００１６】
同じく請求項５の発明は、請求項１ないし４記載の用紙吸着装置であって、前記帯電装置は前記排紙トレイ上に排紙される直前部に配置されていることを特徴とする。
【００１７】
同じく請求項６の発明は、排出すべき用紙を折り畳む用紙折り機構と、請求項１ないし５のいずれか１項に記載の排紙装置と、を備えたことを特徴とする用紙折り装置である。
【００１８】
同じく請求項７の発明は、排出すべき用紙に画像形成を行う画像形成手段と、請求項６記載の用紙折り装置とを備えていることを特徴とする画像形成装置である。
【発明の効果】
【００１９】
本発明によれば、排紙トレイ上にメカニカル機構を配置することなく単純な構成とでき、用紙の取り出し性に影響を与えず、用紙の状態に無関係に満杯状態の誤検知を防止し、安定して多数の用紙を排紙トレイ上にスタックすることができる。
【図面の簡単な説明】
【００２０】
【図１】実施例１に係る画像形成装置の概略図である。
【図２】同じく画像形成装置の排紙装置を示す斜視図である。
【図３】同じく排紙装置を示すものであり（ａ）は模式的な断面図、（ｂ）は平面図である。
【図４】実施例１に係る排紙装置における用紙の排出状態を示すものであり、（ａ）は、用紙の排出時の状態を示す模式図、（ｂ）は排紙トレイへの用紙の載置状態を示す模式図である。
【図５】実施例２に係る排紙装置を示すものであり、（ａ）は模式的な断面図、（ｂ）は平面図である。
【図６】従来の排紙装置の揺動部材の挙動を示す模式図である。
【図７】従来の排紙装置における問題点を示す模式図である。
【発明を実施するための形態】
【００２１】
実施例に係る排紙装置は、排出された用紙が配置される排紙トレイと、この排紙トレイに用紙を排出する用紙排出装置とを備える。排紙装置は、排紙される前記用紙を帯電させる帯電装置を備え、前記排紙トレイ上に帯電した前記用紙を吸着する吸着部材を配置し、用紙どうし及び用紙と吸着部材とが吸着して折り畳まれた用紙の開きを防止し、多数の用紙を安定して満杯の誤検知なくスタックする。吸着部材はシート状のものとでき、排紙トレイ上に着脱自在に配置できる。
【実施例】
【００２２】
以下、本発明の実施例（以下では単に実施例と記載する）に係る画像形成装置について説明する。以下、いくつかの例について説明するが、本発明はこれらに限定されず、かつ本発明の真の趣旨及び範囲から逸脱せずに、数多くの改良、変更、変形、置換をなすこと及び応用例を想到することが当業者には可能であろう。
【００２３】
＜実施例１＞
以下実施例１に係る画像形成装置を図面に基づいて説明する。図１は実施例１に係る画像形成装置の概略図である。実施例１に係る画像形成装置１００は、画像形成部１１０、用紙折り装置１２０、及びソーター等の後処理装置１３０を備えて構成される。画像形成部１１０は、例えば図示しない画像読取部で取得した画像データや上位装置から取得した画像データに基づいて公知の電子写真方式で用紙に画像を形成する。なお、この画像形成部１１０での画像の形成は電子写真方式に限らず、インク吐出ヘッドから用紙にインクを吐出して画像を形成するインクジェット方式、その他の方式のものを採用できる。
【００２４】
この画像形成部１１０で画像形成された用紙は、用紙折り装置１２０に搬送され、指定された折加工が施され、用紙折り装置１２０の排出トレイである用紙収容部４１または後処理装置１３０に搬送される。実施例１では、排紙装置７０は、用紙折り装置１２０に配置されており、折り処理がなされた用紙を排紙トレイ７１上の用紙収容部４１に排出する。
【００２５】
実施例１では、用紙折り装置１２０には、排紙装置７０が配置されており、折り処理された用紙を用紙収容部４１に排出する。
【００２６】
実施例１に係る画像形成装置１００の用紙折り装置１２０では、二つ折り、Ｚ折り、外三つ折り、内三つ折り、単純四つ折り、観音四つ折りの各折りを行う。以下図１に基づいて、各折り動作別に説明する。
【００２７】
＜Ｚ折り（後処理装置１３０に排紙）＞
用紙入口から搬送された用紙は、第１切替爪３１により第１搬送路１に案内され、第１折りローラ２１と第２折りローラ２２とのニップを通過して、用紙先端が第３搬送路３に配置されている折り位置に移動可能な第２ストッパ５２に突き当たる。次いで用紙の撓み部分を第２折りローラ２２と第３折りローラ２３のニップに進入させて１回目の折りを行う。その後、用紙は、第２切替爪によって、第４搬送路４に搬送される。そして、用紙の先端が第４搬送路４に配置されている折り位置に移動可能な第３ストッパ５３に突き当たり、用紙の撓み部分を第４折りローラ２４と第５折りローラ２５のニップに進入させて２回目の折りが行われ、Ｚ折りが完了する。
【００２８】
Ｚ折りが完了した用紙は、第６搬送路６、第７搬送路７を経由して、第９搬送路９側に切り替えられている第３切替爪３３により、後処理装置１３０へ排紙される。
【００２９】
＜Ｚ折り（用紙収容部４１排紙）＞
用紙入口から搬送された用紙は、第１切替爪３１により第１搬送路１に案内され、第１折りローラ２１と第２折りローラ２２のニップを通過して、用紙先端が第３搬送路３に配置されている折り位置に移動可能な第２ストッパ５２に突き当たる。次いで、用紙の撓み部分を第２折りローラ２２と第３折りローラ２３のニップに進入させて１回目の折りを行う。その後、第２切替爪によって、第４搬送路４に搬送される。そして、用紙の先端が第４搬送路４に配置されている折り位置に移動可能な第３ストッパ５３に突き当たり、用紙の撓み部分を第４折りローラ２４と第５折りローラ２５のニップに進入させて２回目の折りを行い、Ｚ折りが完了する。
【００３０】
Ｚ折りが完了した用紙は、第６搬送路６、第７搬送路７を経由して、第８搬送路８側に切り替えられ第３切替爪３３により、水平搬送路１３を経由し、第５切替爪３５により第１１搬送路１１に案内され、用紙収容部排紙経路１２を経由し、用紙収容部４１に排紙される。
【００３１】
＜二つ折り＞
用紙入口から搬送された用紙は、第１切替爪３１により第１搬送路１を経由し、第２搬送路２へ案内され、用紙の先端が第２搬送路２に配置されている折り位置に移動可能な第１ストッパ５１に突き当たる。次いで、用紙の撓み部分を第１折りローラ２１と第２折りローラ２２のニップに進入させて１回目の折りを行い、二つ折りが完了する。折り完了後、用紙は、第３搬送路３へは進入せずに、第２折りローラ２２と第３折りローラ２３のニップを通過し、第２切替爪３２によって第５搬送路５へ案内され、第７搬送路７を経由して、第８搬送路８側に切り替えられた第３切替爪３３により、水平搬送路１３を経由し、第５切替爪３５で第１１搬送路１１に案内され、用紙収容部排紙経路１２を経由し、用紙収容部４１に排紙される。
【００３２】
＜外三つ、内三つ、単純四つ折り＞
用紙入口から搬送された用紙は、第１切替爪３１により第１搬送路１を経由し、第２搬送路２に案内され、用紙の先端が第２搬送路２に配置されている折り位置に移動可能な第１ストッパ５１に突き当たる。そして、用紙の撓み部分を第１折りローラ２１と第２折りローラ２２のニップに進入させて１回目の折りを行う。その後、用紙は、第３搬送路３に搬送され、先端が第３搬送路３に配置されている折り位置に移動可能な第２ストッパ５２に突き当たり、用紙の撓み部分を第２折りローラ２２と第３折りローラ２３のニップに進入させて２回目の折りを行い、折りは完了する。
【００３３】
このとき、外三つ、内三つ、単純四つの各折りモードと、用紙サイズにより、第１ストッパ５１、第２ストッパ５２は制御された位置に停止している。折り完了後、用紙は、第２切替爪３２によって第５搬送路５へ案内され、第７搬送路７を経由して、第３切替爪３３が第８搬送路８へ切り替えられており、水平搬送路１３を経由し、第５切替爪３５により第１１搬送路１１に案内され、用紙収容部排紙経路１２を経由し、用紙収容部４１に排紙される。
【００３４】
＜観音四つ折り＞
用紙入口から搬送された用紙は、第１切替爪３１により第１搬送路１を経由して、第２搬送路２へ案内される。用紙の先端が第２搬送路２に配置されている折り位置に移動可能な第１ストッパ５１に突き当たる。そして、用紙の撓み部分を第１折りローラ２１と第２折りローラ２２のニップに進入させて１回目の折りを行った後、第３搬送路３に搬送される。用紙の先端が第３搬送路３に配置されている折り位置に移動可能な第２ストッパ５２に突き当たり、用紙の撓み部分を第２折りローラ２２と第３折りローラ２３のニップに進入させて２回目の折りを行う。その後、用紙は、第２切替爪３２によって、第４搬送路４に案内される。そして、用紙の先端が第４搬送路４に配置されている折り位置に移動可能な第３ストッパ５３に突き当たって、用紙の撓み部分を第４折りローラ２４と第５折りローラ２５のニップに進入させて３回目の折りを行い、観音四つ折りが完了する。
【００３５】
この３回目の折り時、観音四つ折り先端めくれ防止機構６４が撓み部分を押さえることで、１回目の折り、２回目の折りで折り込まれた用紙先端部・後端部を押さえることで、用紙端部がめくれることなく３回目の折りが行われる。折りが完了した後、用紙は、第２切替爪３２によって第５搬送路５へ案内され、第７搬送路７を経由して、第８搬送路８側に切り替えられた第３切替爪３３により、水平搬送路１３を移動し、第５切替爪３５により第１１搬送路１１に案内され、さらに用紙収容部排紙経路１２を経由し、用紙収容部４１に排紙される。
【００３６】
＜複数枚重ね折り＞
３枚重ね折り時を例に説明する。１枚目の用紙が第１切替爪３１によって、第１搬送路１を経由し、第２搬送路２へ用紙を案内され、用紙の先端が第２搬送路２に配置されている折り位置に移動可能な第１ストッパ５１に突き当たり停止する。この際重ね折り用紙縦揃え機構叩きコロ６６により、用紙は確実に第１ストッパ５１に突き当たる。そして、重ね折り用紙横揃え機構ジョガー６７により、幅方向の用紙揃えを行い、重ね折り順狂い防止機構６１が用紙後端側を押さえる。
【００３７】
次に、２枚目の用紙が第１切替爪３１によって、第１搬送路１を経由し、第２搬送路２に案内される。この用紙は、重ね折り順狂い防止機構６１が１枚目の用紙後端側を押さえているため、１枚目に重なるように搬送される。そして、２枚目の用紙の先端が第２搬送路２に配置されている折り位置に移動可能な第１ストッパ５１に突き当たり、停止すると、重ね折り用紙縦揃え機構叩きコロ６６により、確実に第１ストッパ５１に突き当たり、縦揃えが行われる。そして、重ね折り用紙横揃え機構ジョガー６７により、幅方向の用紙揃えを行う。重ね折り順狂い防止機構６１が１枚目、２枚目用紙後端側を押さえる。
【００３８】
さらに、３枚目の用紙が第１切替爪３１によって、第１搬送路１を経由し、第２搬送路２に案内される。このとき重ね折り順狂い防止機構６１が１枚目及び２枚目の用紙の後端側を押さえているため、３枚目の用紙は、２枚の用紙に重なるように搬送される。このとき、搬送されてきた順番、すなわち１枚目、２枚目、３枚目の順が狂うことなく、搬送される。３枚目の用紙の先端が第２搬送路２に配置されている折り位置に移動可能な第１ストッパ５１に突き当たり、停止する。そして、重ね折り用紙縦揃え機構叩きコロ６６により、確実に第１ストッパ５１に行き当て、縦揃えが行われる。
【００３９】
さらに、重ね折り用紙横揃え機構ジョガー６７により、幅方向の用紙揃えが行われる。そして、重ね折り順狂い防止機構６１が１枚目、２枚目、３枚目用紙後端側を押さえ、折りブレード６２により、第１折りローラ２１と第２折りローラ２２のニップに３枚同時に押し込み、１回目の折りを行う。このとき、折りブレード６２の先端は第１折りローラ２１と第２折りローラ２２のニップの位置を越えるまで押し込まれる。これにより、折りローラに接触している最外紙例えば３枚目用紙のみが折られる現象が無くなる。２回目以降の折り、排紙動作は前記折り動作、排紙動作の説明と同じである。
【００４０】
次に実施例１における排紙装置７０について説明する。図２は実施例１に係る画像形成装置の排紙装置を示す斜視図、図３は同じく排紙装置を示すものであり（ａ）は模式的な断面図、（ｂ）は平面図である。この排紙装置７０は、排紙トレイ７１と、排紙口７４に隣接して配置され、排紙口７４から用紙を排出する排紙ローラ７２、７３と、この排紙ローラ７２、７３に近接して配置され、排紙ローラ７２、７３を例えば正電荷に帯電させるローラ帯電ユニット８０とを備えて構成される。排紙ローラ７２、７３はローラ帯電ユニット８０によって例えば正に帯電された状態になり、排紙ローラ７２、７３に接触して排出された用紙は例えば逆の負の電荷に帯電する。これにより、折り畳まれた用紙の各葉は互いに吸着する。
【００４１】
一方、排紙装置７０の排紙トレイ７１には、その全面に用紙を吸着するためのシート状の吸着部材７５が着脱自在に配置されている。この吸着部材７５には、帯電ユニット７６が接続され、吸着部材７５には、帯電した用紙が吸着するよう帯電する帯電ユニット７６が配置されている。この帯電ユニット７６は、ローラ帯電ユニット８０と共通のものとすれば、構成をより単純なものとできる。
【００４２】
また、実施例１に係る排紙装置７０には、除電手段８５を備えている。この除電手段８５は、用紙を設定枚数だけ排出した後、あるいは、満杯センサー８１、８２での満杯検知後であって、ユーザーが用紙を取り出す場合に作動し、用紙を用紙が帯びている電荷と逆極性の電荷で中和する。この除電手段８５は、除電ブラシやイオン発生器等公知の手段を使用することができる。なお、図９（ａ）中符号８１、８２は光学式の満杯センサーを示し、同（ｂ）中符号７７は排紙装置７０の上奥側カバー、同７８は上右側カバーを示している。
【００４３】
実施例１に係る排紙装置７０によれば、吸着部材７５はシート状としたので自由に湾曲させることや、変形させることができ、複雑な用紙トレイ形状にも追従させて配置できる。このため、排紙トレイ７１の高い自由度でデザインでき、用紙を取り出しやすいものとすることができる。また、吸着部材７５は着脱自在に設けられているので、装置のメンテナンス性が向上すると共に、リサイクル性にも優れるものとできる。
【００４４】
次に実施例１に係る排紙装置７０における用紙の排出状態について説明する。図４は実施例１に係る排紙装置における用紙の排出状態を示すものであり、（ａ）は、用紙の排出時の状態を示す模式図、（ｂ）は排紙トレイへの用紙の載置状態を示す模式図である。排紙部の帯電状態にある排紙ローラ７２、７３によって、帯電された例えば内三つ折りされた用紙１０は、各葉が互いに吸着してほぼ折り部が密着して排出される（図５（ａ）参照）。そして、１枚目の用紙は、排紙トレイ７１上に吸着されてスタックされた状態で、２枚目以降の用紙が排出されると、先に排出されている帯電した折り紙に吸着されスタックされていく。これを繰り返すことによって、たくさんの用紙をスタックすることができる。従って満杯センサー８１、８２で満杯の誤検知がなされることが防止される。
【００４５】
そして、用紙を設定枚数だけ排出した後、あるいは、満杯センサー８１、８２で満杯検知後であって、ユーザーが用紙を取り出す場合には、除電手段８５を作動させ、用紙の電荷を除いて静電気を無力化する。これにより用紙を排紙トレイ７１から容易に取り出すことができるようになる。
【００４６】
従って実施例１に係る排紙装置７０によれば、排紙ローラ７２、７３により排紙トレイ７１に排出された用紙は帯電し、吸着部材７５に吸引されてかさばらずに配置される。このため、用紙の取り出し性に影響を与えず、用紙の状態に無関係に満杯状態の誤検知を防止しつつ安定して用紙を排紙トレイ上にスタックすることができる。また必要に応じて用紙の帯電状態を解除することができるので、用紙を排紙トレイ７１から容易に取り出すことができる。
【００４７】
＜実施例２＞
次に実施例２に係る排紙装置９０について説明する。図５は実施例２に係る排紙装置を示すものであり、（ａ）は模式的な断面図、（ｂ）は平面図である。実施例２に係る排紙装置９０は、排紙トレイ９１の排紙方向に沿って平行に、かつ互いに離間して、吸着部材９５ａ、９５ｂ、９５ｃ、９５ｄを配置している。この排紙装置９０において、他の構成は実施例１の排紙装置７０と同一であるので、同一の部分には同一の符号を付してその説明は省略する。
【００４８】
実施例２に係る排紙装置９０よれば、吸着部材を排紙トレイの全面に配置するより消費電力を低減することができる。なお、吸着部材９５ａ、９５ｂ、９５ｃ、９５ｄの数及び幅寸法は適宜変更することが得きるほか、その配置方向も排紙方向と直交するように配置することができる。
【符号の説明】
【００４９】
７０  排紙装置
７１  排紙トレイ
７２、７３  排紙ローラ
７４  排紙口
７５  吸着部材
７６  帯電ユニット
８０  ローラ帯電ユニット
８１、８２  満杯センサー
８５  除電手段
９０  排紙装置
９１  排紙トレイ
９５ａ、９５ｂ、９５ｃ、９５ｄ  吸着部材
【先行技術文献】
【特許文献】
【００５０】
【特許文献１】特開平０９−０７７３３９号公報
【図１】
2012140223.tif 000003
【図２】
2012140223.tif 000004
【図３】
2012140223.tif 000005
【図４】
2012140223.tif 000006
【図５】
2012140223.tif 000007
【図６】
2012140223.tif 000008
【図７】
2012140223.tif 000009